(57)【要約】【課題】  本発明は、直感的かつ簡易な操作で表示画面上の位置に応じたデータを非接触で受信して取得できるようにする。【解決手段】  本発明は、ＬＣＤ２０の光源として用いられる高速スイッチング可能な発光素子２２により発生させる光の輝度変化を利用して当該ＬＣＤ２０のアイコンＡＫ１に関連したファイルデータを重畳させ、当該ＬＣＤ２０の輝度変化を携帯型メモリ装置３の受光素子３７によって受光し、当該ＬＣＤ２０のアイコンＡＫ１に対応して重畳されているファイルデータを取得して記憶することにより、ユーザにより選択された表示部４のアイコンＡＫ１における輝度変化を携帯型メモリ装置３の受光素子３７によって受光させるだけで、当該表示部４の画面からアイコンＡＫ１に関連したファイルデータを非接触で取得して記憶させることができる。【選択図】        図２
2007074268.tif 000002
【特許請求の範囲】
【請求項１】
表示画面の光源として用いられる高速スイッチング可能な発光素子により当該表示画面から発生させる光の輝度変化を利用して当該表示画面上の位置に対応付けられた所定の送信データを重畳させる表示装置と、
上記光の輝度変化を所定の受光素子によって受光することにより、当該表示画面上の位置に対応付けられて重畳された上記送信データを取得して記憶するデータ受信装置と
を具えることを特徴とする非接触データ通信システム。
【請求項２】
上記表示装置には上記発光素子に加えて上記受光素子を備え、上記データ受信装置には上記受光素子に加えて上記発光素子を備えることにより、上記表示装置及び上記データ受信装置との間で双方向の非接触データ通信を行う
ことを特徴とする請求項１に記載の非接触データ通信システム。
【請求項３】
上記データ受信装置は、上記表示装置の上記表示画面の一部に対し指向性を持った状態で光信号を照射する発光手段と
を具えることを特徴とする請求項２に記載の非接触データ通信システム。
【請求項４】
上記データ受信装置は、上記表示画面に表示されているオブジェクトの上記表示画面上の位置に対応付けられて重畳された上記送信データを取得する
ことを特徴とする請求項１に記載の非接触データ通信システム。
【請求項５】
上記データ受信装置は、上記表示画面を構成している画素を任意に選択することにより上記表示画面上の位置を選択する選択手段と
を具えることを特徴とする請求項１に記載の非接触データ通信システム。
【請求項６】
上記選択手段は、受光範囲を調整することにより上記表示画面のうち所望領域の画素から発せられる上記光を選択する
を具えることを特徴とする請求項５に記載の非接触データ通信システム。
【請求項７】
上記選択手段は、タッチパネルに対するタッチ操作に応じて上記表示画面のうち所望領域の画素から発せられる上記光を選択する
を具えることを特徴とする請求項５に記載の非接触データ通信システム。
【請求項８】
上記データ受信装置は、上記光の輝度変化を上記表示画面から直接ではなく上記受光素子を介して間接的に受光する
ことを特徴とする請求項１に記載の非接触データ通信システム。
【請求項９】
上記表示装置は、上記所定の送信データを上記表示画面における各画素ごとの独立させたチャンネルを用いてパラレル伝送する
ことを特徴とする請求項１に記載の非接触データ通信システム。
【請求項１０】
上記表示装置は、上記光を上記各画素ごとに周波数分離することにより上記独立させたチャンネルとする
ことを特徴とする請求項９に記載の非接触データ通信システム。
【請求項１１】
上記表示装置は、上記光を上記各画素ごとに時分割出力することにより上記独立させたチャンネルとする
ことを特徴とする請求項９に記載の非接触データ通信システム。
【請求項１２】
表示画面と、
上記表示画面の光源として用いられる高速スイッチング可能な発光素子と、
上記発光素子により上記表示画面から発生させる光の輝度変化を利用して当該表示画面上の位置に対応付けられた所定の送信データを重畳させるデータ重畳手段と
を具え、
上記発光素子は、上記表示画面の位置に対応付けられた上記送信データに基づき高速スイッチングし、上記表示画面から発生する光を輝度変化させることにより、非接触データ通信の通信対象である所定のデータ受信装置に対して上記送信データを光伝送する
ことを特徴とする表示装置。
【請求項１３】
上記表示装置は、
上記所定の送信データを上記表示画面における各画素ごとの独立させたチャンネルを用いてパラレル伝送するチャンネル分離手段と
を具えることを特徴とする請求項１２に記載の表示装置。
【請求項１４】
上記チャンネル分離手段は、
上記光を上記各画素ごとに周波数分離することにより上記独立させたチャンネルとする
ことを特徴とする請求項１３に記載の表示装置。
【請求項１５】
上記チャンネル分離手段は、
上記光を上記各画素ごとに時分割出力することにより上記独立させたチャンネルとする
ことを特徴とする請求項１３に記載の表示装置。
【請求項１６】
表示画面の光源として用いられる高速スイッチング可能な発光素子により上記表示画面から発生させる光に対して当該表示画面の位置に対応付けられた所定の送信データが重畳されたときの光の輝度変化を受光する受光素子と、
上記受光素子によって受光した上記光の輝度変化に基づいて、当該表示画面の位置に対応付けられて重畳された上記送信データを復元して取得するデータ復元手段と、
上記データ復元手段によって取得された上記送信データを記憶するデータ記憶手段と
を具えることを特徴とするデータ受信装置。
【請求項１７】
上記データ復元手段は、
上記表示画面に表示されているオブジェクトの上記表示画面上の位置に対応付けられて重畳された上記送信データを復元することにより取得する
ことを特徴とする請求項１６に記載のデータ受信装置。
【請求項１８】
上記データ受信装置は、
上記表示画面を構成している画素を任意に選択することにより上記表示画面上の位置を選択する選択手段と
を具えることを特徴とする請求項１６に記載のデータ受信装置。
【請求項１９】
上記データ受信装置は、
上記表示装置の上記表示画面の一部に対し指向性を持った状態で光信号を照射する発光手段と
を具えることを特徴とする請求項１６に記載のデータ受信装置。
【請求項２０】
上記受光素子は、上記光の輝度変化を上記表示画面から直接ではなく間接的に受光する
ことを特徴とする請求項１６に記載のデータ受信装置。
【請求項２１】
表示画面の光源として用いられる高速スイッチング可能な発光素子により上記表示部から光を発生させる光発生ステップと、
上記表示画面上の位置に対応付けられた所定の送信データに基づき高速スイッチングし、上記表示画面から発生する光の輝度変化を利用して上記送信データを重畳させることにより、非接触データ通信の通信対象である所定のデータ受信装置に対して上記送信データを光伝送するデータ伝送ステップと
を具えることを特徴とする非接触データ送信方法。
【請求項２２】
表示画面の光源として用いられる高速スイッチング可能な発光素子により上記表示画面から発生させる光に対して当該表示画面の位置に対応付けられた所定の送信データが重畳されたときの光の輝度変化を受光する受光ステップと、
上記受光素子によって受光した上記光の輝度変化に基づいて、当該表示画面の位置に対応付けられて重畳された上記送信データを復元して取得するデータ復元ステップと、
上記データ復元ステップで取得された上記送信データを所定のデータ記憶手段に記憶するデータ記憶ステップと
を具えることを特徴とするデータ受信方法。
【発明の詳細な説明】
【技術分野】
【０００１】
本発明は、非接触データ通信システム、表示装置、データ受信装置、非接触データ送信方法及びデータ受信方法に関し、例えば表示画面と非接触に光データ通信を行う場合に適用して好適なものである。
【背景技術】
【０００２】
従来、送信機が二次元ディスプレイ装置に表示する表示画像の各画素の輝度信号に対して送信すべき所定のデータを重畳し、受信機が送信機の表示画像の各画素に一対一で対応した受光素子を持つ二次元の画像センサにより当該データを受信することにより非接触でデータの授受を行うようになされた非接触データ通信システムがある（例えば、特許文献１参照）。
【特許文献１】特開2004-64465公報
【発明の開示】
【発明が解決しようとする課題】
【０００３】
ところでかかる構成の非接触データ通信システムにおいては、二次元ディスプレイ装置の表示画面全体の画像を、受信機の画像センサによってセンサ面の全て結像し、大容量のデータを高速通信するものであるため、一度に１種類のデータを授受することしかできなかった。
【０００４】
また、この非接触データ通信システムでは、二次元ディスプレイ装置の表示画面と受信機における画像センサのセンサ面とを正確に位置合わせしなければならず、正確で煩雑な操作をユーザに強いることになっていた。
【０００５】
本発明は以上の点を考慮してなされたもので、直感的かつ簡易な操作で表示画面上の位置に応じたデータを非接触で受信して取得し得る非接触データ通信システムを提案しようとするものである。
【課題を解決するための手段】
【０００６】
かかる課題を解決するため本発明の非接触データ通信システムにおいては、表示画面の光源として用いられる高速スイッチング可能な発光素子により当該表示画面から発生させる光の輝度変化を利用して当該表示画面上の位置に対応付けられた所定の送信データを重畳させる表示装置と、光の輝度変化を所定の受光素子によって受光することにより、当該表示画面上の位置に対応付けられて重畳された送信データを取得して記憶するデータ受信装置とを設けるようにする。
【０００７】
これにより、ユーザにより選択された表示画面上の任意の位置における輝度変化をデータ受信装置の受光素子によって受光するだけで、当該表示画面から表示画面上の任意の位置に対応付けられた送信データを非接触で取得して記憶することができる。
【０００８】
また本発明の表示装置においては、表示画面と、当該表示画面の光源として用いられる高速スイッチング可能な発光素子と、当該発光素子により表示画面から発生させる光の輝度変化を利用して当該表示画面上の位置に対応付けられた所定の送信データを重畳させるデータ重畳手段とを具え、発光素子は、表示画面の位置に対応付けられた送信データに基づき高速スイッチングし、表示画面から発生する光を輝度変化させることにより、非接触データ通信の通信対象である所定のデータ受信装置に対して送信データを光伝送するようにした。
【０００９】
これにより、表示画面の位置に応じた所定の送信データを輝度変化によりデータ受信装置へ光伝送することができるので、当該表示画面上の位置が選択されれば、その位置に対応付けられた送信データを非接触でデータ受信装置に取得させることができる。
【００１０】
さらに本発明のデータ受信装置においては、表示画面の光源として用いられる高速スイッチング可能な発光素子により上記表示画面から発生させる光に対して当該表示画面の位置に対応付けられた所定の送信データが重畳されたときの光の輝度変化を受光する受光素子と、当該受光素子によって受光した光の輝度変化に基づいて、当該表示画面の位置に対応付けられて重畳された送信データを復元して取得するデータ復元手段と、当該データ復元手段によって取得された送信データを記憶するデータ記憶手段とを設けるようにする。
【００１１】
これにより、ユーザにより選択された表示画面上の任意の位置における輝度変化を受光素子によって受光するだけで、当該表示画面から表示画面上の任意の位置に対応付けられた送信データを非接触で取得して記憶することができる。
【発明の効果】
【００１２】
本発明によれば、ユーザにより選択された表示画面上の任意の位置における輝度変化をデータ受信装置の受光素子によって受光するだけで、当該表示画面から表示画面上の任意の位置に対応付けられた送信データを非接触で取得して記憶することができ、かくして直感的かつ簡易な操作で表示画面上の位置に対応付けられたデータを非接触で受信して取得し得る非接触データ通信システムを実現することができる。
【発明を実施するための最良の形態】
【００１３】
以下、図面について、本発明の一実施の形態を詳述する。
【００１４】
（１）非接触データ通信システムの全体構成
図１において、１は全体として本発明の非接触データ通信システムを示し、パーソナルコンピュータ２と、当該パーソナルコンピュータ２と相互にデータの授受を行う携帯型メモリ装置３とによって構成されている。
【００１５】
パーソナルコンピュータ２は、本体部５によって読み出した種々のデータに基づく画像を例えば強誘電性ＬＣＤ(Liquid Crystal Display)からなる表示部４に表示するようになされており、また当該パーソナルコンピュータ２における表示部４の表示画面を介して携帯型メモリ装置３と非接触でデータを相互に授受し得るようになされている。
【００１６】
すなわちパーソナルコンピュータ２においては、高速スイッチング可能な発光素子がアレイ状に配列されたバックライトを有する強誘電性ＬＣＤからなる表示部４を用いることにより、各発光素子の光をオンオフさせる際の高速応答性を光データ通信に適用し、当該表示部４の表示画面から携帯型メモリ装置３へ向けて種々のデータを光伝送し得るようになされている。
【００１７】
従って携帯型メモリ装置３は、表示部４の表示画面に表示されたアイコンＡＫ１、ＡＫ２及びＡＫ３からデータを非接触で直接受信することができるようになされている。
【００１８】
なおパーソナルコンピュータ２においては、高速スイッチング可能な発光素子をバックライトに用いた表示部４であれば強誘電性ＬＣＤに限るものではなく、表示画素自身が発光し高速応答性を有する例えば有機ＥＬ(Electroluminescence Display)ディスプレイ、ＦＥＤ(Field
Emission Display)、ＬＥＤディスプレイ等のその他種々の構成でなる表示部４を用いることが可能であり、具体的には例えば数Ｍｂｐｓ以上の高速データ通信を実現し得るようになされている。
【００１９】
（２）非接触データ通信システムの回路構成
次に、非接触データ通信システム１の回路構成を図２により説明する。パーソナルコンピュータ２は、本体部５のＣＰＵ(Central Processing Unit)構成でなる制御回路１０が全体を統括制御し、ハードディスクでなる記憶部１１から読み出して起動した基本プログラムや種々のアプリケーションプログラムに従って一般的なパーソナルコンピュータが行う処理を実行し、また上述したような表示部４の表示画面と携帯型メモリ装置３との間で非接触データ通信を実行し得るようになされている。
【００２０】
この表示部４は、ＬＣＤ２０を構成している各ピクセルに対してＲ（赤）、Ｇ（緑）、Ｂ（青）のＬＥＤ(Light Emitting Diode)からなる発光素子２２が一対一に対応付けられてマトリクス状に配列されたバックライト部２１を当該ＬＣＤ２０の背後に設けた構成を有し、この発光素子２２を介してピクセルに対するオン時間の長短により輝度制御するいわゆるフィールドシーケンシャル方式によるものである。
【００２１】
このようなフィールドシーケンシャル方式の表示部４によるカラー画像の表示方法としては、ＬＣＤ２０を構成する各ピクセルの表示色に従って、発光素子２２におけるＲ、Ｇ、Ｂそれぞれのオン時間を制御することによりＬＣＤ２０の表示画面にカラー画像を表示するようになされている。
【００２２】
パーソナルコンピュータ２は、記憶部１１から読み出したデータに基づく目視確認可能な画像を表示制御回路１２により表示部４のＬＣＤ２０に表示しながら、携帯型メモリ装置３へ光伝送するための送信データに基づいて発光素子２２から発生する光を輝度変化させるようになされている。
【００２３】
実際上、本体部５の制御回路１０は、表示部４の表示画面に表示中の画像データを管理する表示制御回路１１から当該画像データ中の表示オブジェクトとして例えばアイコンＡＫ１〜ＡＫ３が表示されている場合、そのアイコンＡＫ１〜ＡＫ３の表示画面における２次元座標を取得する。
【００２４】
制御回路１０は、表示部４に表示されている表示オブジェクト（アイコンＡＫ１〜ＡＫ３）に対応する表示画面上の各ピクセルの２次元座標と、当該２次元座標（すなわちアイコンＡＫ１〜ＡＫ３）に対して関連付けられたファイルのデータ（以下、これをファイルデータと呼ぶ）とを一意に対応付けた座標関連データ対応テーブル１８を生成し、過去の表示画面における座標関連データ対応テーブルから当該座標関連データ対応テーブル１８に更新する。
【００２５】
符号化回路１３は、制御回路１０の制御により、バックライト部２１における複数の発光素子２２にそれぞれ対応付けられた固有のＩＤ(Identification)情報を基にＩＤパケットを生成し、これを変調回路１４により変調し、その変調結果に応じてＬＥＤアレードライバ１５によりバックライト部２１の発光素子２２をそれぞれ高速スイッチング動作させることにより、可視光を媒体として各発光素子２２のＩＤパケットをＬＣＤ２０の表示画面を介して光伝送するようになされている。なお、このＩＤパケットは各発光素子２２から常時出力されているものである。
【００２６】
一方、携帯型メモリ装置３はその先端にフォトダイオードでなる受光素子３７が設けられており、表示部４に表示されている複数のアイコンＡＫ１〜ＡＫ３のうちユーザ所望の例えばアイコンＡＫ１に対して受光素子３７がかざされると、当該アイコンＡＫ１を表示している複数のピクセルにそれぞれ対応した複数の発光素子２２から出力されているＩＤパケットを当該受光素子３７で受光する。
【００２７】
この場合、携帯型メモリ装置３はユーザによって把持されてアイコンＡＫ１の前に受光素子３７がかざされる場合には問題ないが、表示部４の表示画面から携帯型メモリ装置３までの距離が離れている場合に問題となる。
【００２８】
しかしながら携帯型メモリ装置３の受光素子３７の前部にはフォーカスレンズ（図示せず）が長手方向に沿って移動可能な状態に取り付けられており、図１に示したように筐体部のスライドレバー３９が太矢印方向へ操作されたことに応じてフォーカス範囲を変更し得るようになされている。
【００２９】
従って携帯型メモリ装置３は、図３に示すようにＬＣＤ２０からＩＤパケットを受講する際の受光範囲を調整することにより、当該ＬＣＤ２０から離れた位置であってもアイコンＡＫ１のＩＤパケットだけを受光し得るようになされている。因みに、フォーカス範囲を調整するためのスライドレバー３９やフォーカスレンズについては必ずしも必須の要素ではなく、表示部４のアイコンＡＫ１に携帯型メモリ装置３の受光素子３７を近づけることが可能であれば特に必要ではない。
【００３０】
携帯型メモリ装置３は、受光素子３７で受光したＩＤパケットを受信部３１によって復調処理し、符号・復号化部３２によって復号化すると共にパリティチェックすることにより正当なデータであれば元のＩＤ情報を復元できたと認識し、このＩＤ情報をＣＰＵ構成でなる制御部３３へ送出する。
【００３１】
制御部３３は、このＩＤ情報を基にアイコンＡＫ１に関連付けられているファイルデータの取得要求データを生成し、当該取得要求データを符号・復号化回路３２により符号化し、送信部３５により変調した後、赤外線コマンドとして赤外送信部３８からパーソナルコンピュータ２の表示部４へ向けて赤外線送信する。但し、携帯型メモリ装置３は、所得要求データを赤外線コマンドとしてではなく、ブルートゥースモジュール（登録商標）やIEEE(Institute Of Electrical and Electronics Engineers)802.11g等の無線通信方式によって無線送信するようにしても良い。
【００３２】
パーソナルコンピュータ２の表示部４は、バックライト部２１に設けられた複数の発光素子２２の周囲に渡って所定間隔ごとに赤外受信部２３が配置されており、携帯型メモリ装置３から赤外線送信された赤外線コマンドをこの赤外受信部２３によって受信し、これを本体部５の復調回路１６へ送出する。
【００３３】
復調回路１６は、赤外線コマンドを復調し、復号化回路１７により復号化することにより元の取得要求データを復元し、これを制御回路１０へ送出する。制御回路１０は、取得要求データに基づいてＩＤ情報に対応する２次元座標を読み取り、当該２次元座標を基に記憶部１１の座標関連データ対応テーブル１８を参照することにより、取得要求に対応したファイルデータを特定して読み出す。
【００３４】
制御回路１０は、ファイルデータを符号化回路１３によりパケット化し、そのファイルパケットを変調回路１４により変調した後、その変調結果に応じてＬＥＤアレードライバ１５によりアイコンＡＫ１に対応するバックライト部２１の複数の発光素子２２をそれぞれ高速スイッチング動作させることにより、可視光を媒体としてファイルパケットをＬＣＤ２０の表示画面のアイコンＡＫ１部分から光伝送し得るようになされている。
【００３５】
このときバックライト部２１の発光素子２２は、高速スイッチング動作に応じたオンオフ切換えに対してファイルパケットのデータをのせるようになされているが、このときバックライト光源本来の機能を損なうことがないように、所定単位時間当たりのオン時間が急激に変動しないようなデータ信号列に変調する。これによりバックライト部２１の発光素子２２は、表示部４の輝度レベルを一定に保ち、画像品位の低下を防止するようになされている。
【００３６】
因みに上述のようなデータ変調方式を用いれば、表示部４の輝度レベルを発光素子２２毎に任意の値に保持することが可能である。この特性を利用することにより、表示部４に表示される画像コンテンツの明暗部分に応じて明度を受け持つ発光素子２２にはデューティー比の高い変調方式を適用し、暗部を受け持つ発光素子２２にはデューティー比の低い変調方式を適用するといった同期処理を行うことも可能となる。これにより表示部４は、ＬＣＤ２０の欠点である暗部の白浮きを改善し、表示画像のコントラストを高めて画像品位を向上させるといった効果が期待できるようになされている。
【００３７】
なお、このときアイコンＡＫ１以外のアイコンＡＫ２及びアイコンＡＫ３については、通常通り、アイコンＡＫ２及びアイコンＡＫ３に対応する複数の発光素子２２にそれぞれ対応付けられたＩＤ情報に基づくＩＤパケットが常時出力されている。
【００３８】
ところでアイコンＡＫ１に対応するバックライト部２１の発光素子２２は複数存在し、その複数の発光素子２２からアイコンＡＫ１に関連付けられたファイルデータが光伝送されるが、このときアイコンＡＫ１に相当する領域の各発光素子２２を相互に独立したチャンネルとして設定することにより当該ファイルデータを携帯型メモリ装置３へ向けてパラレル伝送し得るようになされている。
【００３９】
具体的には、パーソナルコンピュータ２は、図４に示すようにアイコンＡＫ１に相当する領域に含まれる複数の発光素子２２がそれぞれ発生する光の周波数を変えることにより、当該複数の発光素子２２により発生した光が相互に干渉しないような周波数分割通信を実現してファイルデータをパラレル伝送し得るようになされている。このとき携帯型メモリ装置３は、周波数分割されたチャンネルに対応するバンドパスフィルタを介して各チャンネルから光伝送されるファイルデータを独立して受信すればよい。
【００４０】
なお、このときパーソナルコンピュータ２は、各発光素子２２を構成しているＲ、Ｇ、ＢのＬＥＤによりＲ、Ｇ、Ｂ成分に分けて波長分離した状態で多チャンネル化を図ることもでき、その場合の携帯型メモリ装置３は、Ｒ、Ｇ、Ｂ成分をそれぞれ分離可能な光波長分離フィルタを介して独立したチャンネルとしてファイルデータを受信することができる。
【００４１】
従ってパーソナルコンピュータ２は、周波数分割通信に加えて波長分割通信を行うことにより多チャンネル化を図ることができ、かくしてファイルデータを高速に携帯型メモリ装置３へ光伝送し得るようになされている。
【００４２】
またパーソナルコンピュータ２は、図５に示すように複数の発光素子２２を順次ずらしながら発光させることにより、隣接する発光素子２２同士が干渉しないような時分割通信を実現してファイルデータをパラレル伝送し得るようになされている。
【００４３】
なお、パーソナルコンピュータ２は、周波数分割通信と時分割通信とを組み合わせることにより発光素子２２間の通信干渉を防止しつつファイルデータをパラレル伝送することも可能であり、時分割通信と波長分離通信とを組み合わせることにより発光素子２２間の通信干渉を防止しつつファイルデータをパラレル伝送することも可能である。
【００４４】
これにより携帯型メモリ装置３は、アイコンＡＫ１から出力されるファイルパケットのデータを受光素子３７で受光した後、受信部３１で復調処理し、符号・復号化部３２で復号化すると共にパリティチェックすることにより元のファイルデータを復元し、このファイルデータを制御部３３へ送出する。
【００４５】
制御部３３は、このファイルデータを不揮発性メモリ等でなる記憶部３４に記憶させ得るようになされており、かくしてパーソナルコンピュータ２の表示部４に表示されたアイコンＡＫ１から非接触でファイルデータを取得して保存し得るようになされている。
【００４６】
このようなパーソナルコンピュータ２と携帯型メモリ装置３との間で行われる非接触データ通信処理シーケンスについて、図６のシーケンスチャートを用いて改めて説明する。パーソナルコンピュータ２の制御回路１０は、ステップＳＰ１において、表示部４に表示されているアイコンＡＫ１の２次元座標を取得し、次のステップＳＰ２へ移る。
【００４７】
ステップＳＰ２においてパーソナルコンピュータ２の制御回路１０は、表示部４に表示されているアイコンＡＫ１に対応する表示画面上の２次元座標と、当該２次元座標に関連付けられたファイルデータとを対応付けた座標関連データ対応テーブル１８を生成し、これを用いて過去の表示画面における座標関連データ対応テーブルを新たな座標関連データ対応テーブル１８に更新し、次のステップＳＰ３へ移る。
【００４８】
ステップＳＰ３においてパーソナルコンピュータ２の制御回路１０は、アイコンＡＫ１に対応付けられた複数の発光素子２２のＩＤ情報を基にＩＤパケットを生成し、これを変調した後、ＬＥＤアレードライバ１５によりバックライト部２１の発光素子２２をそれぞれ高速スイッチング動作させることにより、アイコンＡＫ１に対応した領域からＩＤパケットを送信し、次のステップＳＰ４へ移る。
【００４９】
このとき携帯型メモリ装置３の制御部３３は、ステップＳＰ２１において、表示部４に表示されている複数のアイコンＡＫ１〜ＡＫ３のうちユーザ所望のアイコンＡＫ１に受光素子３７がかざされると、当該アイコンＡＫ１を表示している複数のピクセルに対応した複数の発光素子２２から光出力されているＩＤパケットを当該受光素子３７で受光し、次のステップＳＰ２２へ移る。
【００５０】
ステップＳＰ２２において携帯型メモリ装置３の制御部３３は、受光素子３７で受光したＩＤパケットを復調処理及び復号化すると共にパリティチェックすることにより正当なＩＤ情報であるか否かを判定し、否定結果が得られるとステップＳＰ２１へ戻って再度ＩＤパケットを受信する。
【００５１】
一方、ステップＳＰ２２において携帯型メモリ装置３の制御部３３は、パリティチェックの結果として正当なＩＤ情報であると判定した場合、肯定結果を得て次のステップＳＰ２３へ移る。
【００５２】
ステップＳＰ２３において携帯型メモリ装置３の制御部３３は、アイコンＡＫ１に関連付けられたファイルデータの取得要求データを生成し、これを符号化して変調した後、赤外線コマンドとして赤外送信部３８からパーソナルコンピュータ２の表示部４へ向けて赤外線送信した後、次のステップＳＰ２４へ移る。
【００５３】
このときパーソナルコンピュータ２の制御回路１０は、ステップＳＰ５において、携帯型メモリ装置３から送信された赤外線コマンドを赤外受信部２３によって受信し、次のステップＳＰ６へ移る。
【００５４】
ステップＳＰ６においてパーソナルコンピュータ２の制御回路１０は、赤外線コマンドを復調することにより復元した元の取得要求データに基づいてＩＤ情報に対応する２次元座標を読み取り、当該２次元座標を基に座標関連データ対応テーブル１８を参照することにより、取得要求に応じたファイルデータを特定して読み出し、次のステップＳＰ７へ移る。
【００５５】
ステップＳＰ７においてパーソナルコンピュータ２の制御回路１０は、当該ファイルデータを符号化回路１３によりパケット化し、そのファイルパケットを変調した後、その変調結果に応じてＬＥＤアレードライバ１５によりアイコンＡＫ１に相当する領域のバックライト部２１における発光素子２２をそれぞれ高速スイッチング動作させることにより、可視光を媒体としてファイルパケットのデータをアイコンＡＫ１部分から光出力し、次のステップＳＰ８へ移る。
【００５６】
このとき携帯型メモリ装置３の制御部３３は、ステップＳＰ２４において、アイコンＡＫ１から出力されるファイルパケットのデータを受光素子３７で受光し、次のステップＳＰ２５において、ファイルパケットを復調処理して復号化すると共にパリティチェックすることにより元のファイルデータを正確に復元し得たか否かを判定し、否定結果が得られるとステップＳＰ２４へ戻ってファイルパケットのデータを受光素子３７で再度受光する。
【００５７】
一方、ステップＳＰ２５において肯定結果が得られると、携帯型メモリ装置３の制御部３３は元のファイルデータを正確に復元し得たので、次のステップＳＰ２６へ移ってファイルデータの受信が１パケット分終了したことを示すＡＣＫ信号をパーソナルコンピュータ２の表示部４へ向けて赤外線送信した後、次のステップＳＰ２７へ移る。
【００５８】
ステップＳＰ２７において携帯型メモリ装置３の制御部３３は、ＥＯＦ(End Of File)であるか否かをファイルパケットに付加されていたヘッダから読み取って判別し、否定結果が得られると未だ全てのファイルデータを受信し終えていないことを表しており、このとき携帯型メモリ装置３の制御部３３はステップＳＰ２４に戻ってファイルパケットの受信処理を継続する。
【００５９】
これに対してステップＳＰ２７で肯定結果が得られると、アイコンＡＫ１に関連したファイルデータを全て受信し終えたことを表しており、このとき携帯型メモリ装置３の制御部３３は、次のステップＳＰ２８へ移って処理を終了する。
【００６０】
このときパーソナルコンピュータ２の制御回路１０は、ステップＳＰ８において、携帯型メモリ装置３の制御部３３から赤外線送信されたＡＣＫ信号を受信したかを検出することにより、携帯型メモリ装置３からの応答があったか否かを判定し、否定結果が得られるとステップＳＰ７へ戻って引き続きファイルパケットをアイコンＡＫ１部分の発光素子２２によって光出力し続ける。
【００６１】
これに対してステップＳＰ８で肯定結果が得られると、携帯型メモリ装置３の制御部３３から赤外線送信されたＡＣＫ信号を受信したので当該携帯型メモリ装置３からの応答があったと判断し、次のステップＳＰ９へ移る。
【００６２】
ステップＳＰ９においてパーソナルコンピュータ２の制御回路１０は、送信しているファイルデータのファイルパケットに付加されていたヘッダからＥＯＦを読み取ったか否かを判定し、否定結果が得られるとステップＳＰ７へ移ってファイルパケットの送信を継続し、肯定結果が得られると次のステップＳＰ１０へ移ってファイルパケットの送信を終了する。
【００６３】
ところで、携帯型メモリ装置３（図２）は送受信切替手段３６を有しており、当該送受信切替手段３６を介してデータ送信モードに切り替えることにより、記憶部３４に格納されている種々のデータをパーソナルコンピュータ２へ光出力し得るようになされている。
【００６４】
具体的には携帯型メモリ装置３は、送信すべきデータに応じて赤外送信部３８による赤外光を高速にスイッチングさせることにより、当該データをパーソナルコンピュータ２の表示部４における赤外受信部２３へ光伝送し得るようになされている。なお携帯型メモリ装置３は、赤外光ではなく可視光によって光伝送するようにしても良い。
【００６５】
従って非接触データ通信システム１では、パーソナルコンピュータ２から携帯型メモリ装置３へデータを光伝送し得ると共に、携帯型メモリ装置３からパーソナルコンピュータ２へデータを光伝送し得、かくしてパーソナルコンピュータ２と携帯型メモリ装置３との間で双方向の非接触データ通信を実現し得るようになされている。
【００６６】
（３）動作及び効果
以上の構成において、非接触データ通信システム１では、パーソナルコンピュータ２の表示部４に表示されたアイコンＡＫ１が携帯型メモリ装置３の先端部によってかざされるだけで、パーソナルコンピュータ２と携帯型メモリ装置３とが表示部４の表示画面を介して相互に非接触通信し、アイコンＡＫ１に関連したファイルデータを自動的に携帯型メモリ装置３に取得して内部の記憶部３４に保存することができる。
【００６７】
すなわち、この非接触データ通信システム１では、パーソナルコンピュータ２の表示部４に表示されたアイコンＡＫ１に携帯型メモリ装置３の先端を近づけて受光素子３７をかざすだけで、特別な位置合わせも必要なく、当該アイコンＡＫ１に関連したファイルデータをアイコンＡＫ１から非接触で直接取得することができる。
【００６８】
このため、従来のように、アイコンＡＫ１をカーソルで選択させてファイルを開かせてからＵＳＢ(Universal Serial Bus)メモリ等に転送するためのドラッグアンドドロップ操作等をユーザに強いることがなく、アイコンＡＫ１に携帯型メモリ装置３の先端をかざさせるといった直感的な操作だけで瞬時かつ容易にファイルデータを取得させることができる。
【００６９】
特に非接触データ通信システム１では、パーソナルコンピュータ２が表示部４に表示する複数のアイコンＡＫ１〜ＡＫ３に対してそれぞれ異なるファイルデータが対応付けられているので、複数の携帯型メモリ装置３を通信対象として用いる場合、表示部４に表示されたアイコンＡＫ１を１台目の携帯型メモリ装置３が選択してかざし、アイコンＡＫ２を２台目の携帯型メモリ装置３が選択してかざし、アイコンＡＫ３を３台目の携帯型メモリ装置３が選択してかざした場合、アイコンＡＫ１〜ＡＫ３にそれぞれ関連したファイルデータを複数の携帯型メモリ装置３へ同時に光伝送することも可能となる。
【００７０】
また非接触データ通信システム１では、パーソナルコンピュータ２の表示部４に表示されたアイコンＡＫ１に対応する複数の発光素子２２を独立したチャンネルとして用いるようにしたことにより、アイコンＡＫ１に関連したファイルデータを携帯型メモリ装置３へパラレル伝送することができるので、容量の大きなファイルデータであっても携帯型メモリ装置３へ短時間でデータ転送することができる。
【００７１】
以上の構成によれば、非接触データ通信システム１では、パーソナルコンピュータ２の表示部４に表示されたアイコンＡＫ１〜ＡＫ３の中からユーザ所望のアイコンＡＫ１を選択して携帯型メモリ装置３の受光素子３７をかざすといった直感的かつ簡易な操作だけで、当該アイコンＡＫ１という表示画面上の位置に対応付けられたファイルデータを表示部４の表示画面から非接触で直接携帯型メモリ装置３に取得して記憶することができる。
【００７２】
（４）他の実施の形態
なお上述の実施の形態においては、非接触データ通信システム１を構成するデータ受信装置として携帯型メモリ装置３を用いるようにした場合について述べたが、本発明はこれに限らず、図７に示すような非接触データ通信システム１００のように携帯型メモリ装置３の代わりにリモートコントローラ５０を用いるようにしても良い。
【００７３】
この場合、リモートコントローラ５０はパーソナルコンピュータ２に対する遠隔操作を行うためのものとして用いられるのみならず、先端部に設けられたフォトダイオードでなる受光素子（図示せず）により、表示部４に表示されている複数のアイコンＡＫ１〜ＡＫ３のうちユーザ所望のアイコンＡＫ１に対応した複数の発光素子２２から出力されているＩＤパケットやファイルパケットを受光することに加えて、例えば図８に示すようなＥＰＧ(Electronic Program Guide)画面に表示されている例えば８月２日の７時〜８時の番組アイコンＢＡに対応した複数の発光素子２２から番組に関する詳細情報を受光して取得し、簡易表示部５１にその内容を表示することができる。
【００７４】
この場合、リモートコントローラ５０は番組の詳細情報を簡易表示部５１に表示し、パーソナルコンピュータ２の表示部４には表示せずに済むので、表示部４のＥＰＧ画面を番組アイコンＢＡの詳細情報によって隠されてしまうことを未然に防止するようになされている。なお、リモートコントローラ５０においても、携帯型メモリ装置３と同様にフォーカス範囲を変更するためのスライドレバー５２が設けられている。
【００７５】
また、この場合、リモートコントローラ５０は受光素子によって、表示部４に表示されている認証用のアイコン（図示せず）と光通信するようにすれば、正当なユーザが所有するリモートコントローラ５０とだけに対して光通信のアクセス権限を与えることができるのでセキュリティの向上を図ることもできる。
【００７６】
また上述の実施の形態においては、表示部４のアイコンＡＫ１に関連したファイルデータを携帯型メモリ装置３が受光して取得するようにした場合について述べたが、本発明はこれに限らず、図９に示すように表示部４に表示された再生ボタンＰＬ、一時停止ボタンＰＺ及び停止ボタンＳＴに関連した再生コマンド、一時停止コマンド及び停止コマンドを携帯型メモリ装置３が受光して取得するようにしても良い。
【００７７】
この場合、携帯型メモリ装置３には再生機能が搭載されていれば、図１０に示すように当該携帯型メモリ装置３自体には再生ボタン、一時停止ボタンや停止ボタン等を有していなくても、パーソナルコンピュータ２の表示部４に表示した再生ボタンＰＬ、一時停止ボタンＰＺ及び停止ボタンＳＴから間接的に携帯型メモリ装置３を再生制御、一時停止制御及び停止制御を行うことが可能となる。
【００７８】
なお図１１に示すように、携帯型メモリ装置３はパーソナルコンピュータ２の表示部４に表示した再生ボタンＰＬ、一時停止ボタンＰＺや停止ボタンＳＴから取得した再生コマンド、一時停止コマンド及び停止コマンドを送信部３５及び赤外送信部３８により表示部４に接続されている所定の再生機器７０へ赤外線送信することも可能であり、この場合リモートコントローラとして用いることもできる。
【００７９】
さらに上述の実施の形態においては、携帯型メモリ装置３がパーソナルコンピュータ２の表示部４に表示された画像のアイコンＡＫ１からファイルデータを取得するようにした場合について述べたが、本発明はこれに限らず、本体部５から読み出したデータに基づく画像をプロジェクターによりスクリーンに表示し、そのスクリーンに表示された画像のアイコンからファイルデータを間接的に取得するようにしても良い。
【００８０】
さらに上述の実施の形態においては、可視光のＬＥＤでなる発光素子２２を用いるようにした場合について述べたが、本発明はこれに限らず、可視光以外の赤外ＬＥＤ等の発光素子を用いるようにしても良い。
【００８１】
さらに上述の実施の形態においては、ＬＣＤ２０を構成している各ピクセルに発光素子２２が一対一に対応するようにした場合について述べたが、本発明はこれに限らず、ＬＣＤ２０を構成している複数ピクセルに対して１個の発光素子２２が対応するようにしても良い。
【００８２】
さらに上述の実施の形態においては、携帯型メモリ装置３が表示部４のアイコンＡＫ１から受信したＩＤ情報に基づいて生成する取得要求データを赤外線コマンドとしてパーソナルコンピュータ２へ赤外線送信することによりアイコンＡＫ１に関連したファイルデータを取得するようにした場合について述べたが、本発明はこれに限らず、表示部４の画面に設けられたタッチパネルを介してアイコンＡＫ１が画面上で選択されたときに当該アイコンＡＫ１に関連したファイルデータの取得要求があったことをパーソナルコンピュータ２に認識させ、当該ファイルデータをアイコンＡＫ１から取得するようにしても良い。
【００８３】
さらに上述の実施の形態においては、表示部４に表示する２次元画像を対象とするようにした場合について述べたが、本発明はこれに限らず、３次元の立体表示画像や１次元のライン状表示画像を対象とするようにしても良く、要は光の輝度変化を生じさせることができる画像であれば良い。
【００８４】
さらに上述の実施の形態においては、表示部４の構成としてバックライト部２１を用いるようにした場合について述べたが、本発明はこれに限らず、フロントライトを用いるようにしても良い。
【００８５】
さらに上述の実施の形態においては、アイコンＡＫ１からファイルデータを取得するようにした場合について述べたが、本発明はこれに限らず、画面上に領域を有するアイコンＡＫ１以外の文字、キャラクター、画面中に小ウィンドウから動画像、静止画像、テキストデータ若しくは音声データを取得するようにしても良い。
【００８６】
例えば非接触データ通信システム１では、表示部４に表示されたアーティストのキャラクターに携帯型メモリ装置３の受光素子３７がかざされた場合に、当該キャラクターから光伝送される音声ファイルを瞬時に取得して記憶することができるようになるので、携帯型メモリ装置３を携帯型ミュージックプレーヤーに適用すればパーソナルコンピュータ２から楽曲の音声ファイルを直感的な操作だけで瞬時に取り込ませることが可能となる。
【００８７】
また非接触データ通信システム１では、表示部４に表示された２ヶ国語放送のアイコンに携帯型メモリ装置３の受光素子３７がかざされた場合、当該アイコンから光伝送される音声データを携帯型メモリ装置３に取得して記憶することができる。
【００８８】
さらに非接触データ通信システム１では、ホームシアターを構成するリアスピーカの前面に指向性を有しかつ受光範囲の調整可能な受光素子を設けておき、表示部４の表示画面から光伝送された音声データをリアスピーカの受光素子で取得してスピーカ出力することが考えられ、この場合リアスピーカに対するケーブルを不要化することができる。
【００８９】
さらに上述の実施の形態においては、携帯型メモリ装置３の先端に設けられたフォトダイオードでなる受光素子３７を用いるようにした場合について述べたが、本発明はこれに限らず、フォトダイオードの代わりにＣＣＤカメラを用いるようにしても良い。
【００９０】
さらに上述の実施の形態においては、データ受信装置として携帯型メモリ装置３を適用するようにした場合について述べたが、本発明はこれに限らず、データ受信装置として携帯電話機を適用するようにしても良く、その場合、ＡＴＭ(Automatic Teller Machine)機の表示部に表示されたアイコンから電子マネーデータを携帯電話機が直接取得してチャージすることが可能となり、またＣＤ(Compact Disc)ショップの端末機の表示部に表示された画像中のアイコン等からＣＤコンテンツを携帯電話機が直接取得することが可能となる。
【産業上の利用可能性】
【００９１】
本発明の非接触データ通信システム、表示装置、データ受信装置、非接触データ送信方法及びデータ受信方法は、例えば表示装置の表示画面から非接触で直接データを取得する種々の用途に適用することができる。
【図面の簡単な説明】
【００９２】
【図１】本発明の非接触データ通信システムの概観構成を示す略線的斜視図である。
【図２】非接触データ通信システムの回路構成を示す略線的ブロック図である。
【図３】受光範囲の説明に供する略線図である。
【図４】周波数分割によるパラレル伝送の説明に供する略線図である。
【図５】時分割によるパラレル伝送の説明に供する略線図である。
【図６】非接触データ通信処理シーケンスの説明に供するシーケンスチャートである。
【図７】他の実施の形態における非接触データ通信システムの概観構成を示す略線的斜視図である。
【図８】番組表を示す略線図である。
【図９】他の実施の形態におけるデータ送受信対象（１）の説明に供する略線図である。
【図１０】他の実施の形態におけるデータ送受信対象（２）の説明に供する略線図である。
【図１１】他の実施の形態におけるデータ送受信対象（３）の説明に供する略線図である。
【符号の説明】
【００９３】
１……非接触データ通信システム、２……パーソナルコンピュータ、３……携帯型メモリ装置、４……表示部、５……本体部、１０……制御回路、１１、３４……記憶部、１２……表示制御回路、１３……符号化回路、１４……変調回路、１５……ＬＥＤアレードライバ、１６……復調回路、１７……復号化回路、１８……座標関連データ対応テーブル、２０……ＬＣＤ、２１……バックライト部、２２……発光素子、２３……赤外受信部、３１……受光部、３２……符号・復号化部、３３……制御部、３５……送信部、３６……送受信切替スイッチ、３７……受光素子、３８……赤外送信部、３９、５２……スライドバー、５０……リモートコントローラ、５１……簡易表示部。
【図１】
2007074268.tif 000003
【図２】
2007074268.tif 000004
【図３】
2007074268.tif 000005
【図４】
2007074268.tif 000006
【図５】
2007074268.tif 000007
【図６】
2007074268.tif 000008
【図７】
2007074268.tif 000009
【図８】
2007074268.tif 000010
【図９】
2007074268.tif 000011
【図１０】
2007074268.tif 000012
【図１１】
2007074268.tif 000013